(57)【要約】【課題】ラバーマウントのような弾性部材を介在させることなく、吸気振動がキャブに伝達されることを防止して、こもり音を低減し得、且つ組み付け精度を向上し得、更に、部品点数並びに組み付け工数を減少させ、全体のコスト削減を図り得る吸気ダクトを提供する。【解決手段】ダクトブラケット４ｂのダクト本体４ａから突設される基端部分に、板厚を薄くしてバネ定数を下げるためのくびれ部４ｃを形成する。【選択図】図２
2012180800.tif 000002
【特許請求の範囲】
【請求項１】
車両のエンジンに空気を供給するエアクリーナに接続されるよう上方へ延びるダクト本体からダクトブラケットを突設し、該ダクトブラケットをキャブの後面に固定されたベースブラケットに対し締結部材により組み付けるようにした吸気ダクトにおいて、
前記ダクトブラケットのダクト本体から突設される基端部分に、板厚を薄くしてバネ定数を下げるためのくびれ部を形成したことを特徴とする吸気ダクト。 
【発明の詳細な説明】
【技術分野】
【０００１】
本発明は、吸気ダクトに関するものである。
【背景技術】
【０００２】
一般に、トラック等の大型の車両は、普通乗用車と比べて未舗装の悪路を走行する機会が多いことから、エンジンの吸気としては、塵埃が多く含まれている地面付近の空気ではなく、地面から充分高い部分の清浄な空気を取り入れることが好ましく、又、地面付近では、走行時に跳ね上げられる雨水や積雪等を一緒に取り込んでしまう虞れもあるため、地面から充分高い部分で空気だけを確実に取り入れることが好ましい。
【０００３】
このため、図３に示される如く、トラック等の車両１の場合、該車両１のキャブ２後面における左右方向一側下部に、図示していないエンジンに空気を供給するエアクリーナ３を配置し、該エアクリーナ３から上方へ立ち上がるエアクリーナ入口ダクト３ａに対し、前記キャブ２の後面に組み付けられる吸気ダクト４を、可撓性を有するブーツ５を介して接続し、前記吸気ダクト４の上部に開口させた空気取入口６から外気を、水や塵埃等の異物が吸気ダクト４内に侵入することを防止しつつ、吸気ダクト４内へ導き、前記エアクリーナ３で濾過し、清浄な空気としてエンジンへ供給するようになっている。
【０００４】
ここで、前記吸気ダクト４には、エンジンの吸入行程で生じる空気の脈動により吸気振動が発生しやすく、該吸気振動がキャブ２に伝達されると、室内騒音（こもり音）を生じる一つの要因となることが知られている。
【０００５】
このため、前記吸気ダクト４には、図４及び図５に示される如く、そのダクト本体４ａ下部から左右両側方へダクトブラケット４ｂを突設し、該ダクトブラケット４ｂを、前記キャブ２の後面に固定されたベースブラケット７に対しラバーマウント８を介してボルト・ナット等の締結部材９により組み付け、該ラバーマウント８にて前記吸気振動がキャブ２に伝達されることを防止し、前記こもり音を低減することが行われている。
【０００６】
尚、前記吸気ダクトと関連する一般的技術水準を示すものとしては、例えば、特許文献１や特許文献２がある。
【先行技術文献】
【特許文献】
【０００７】
【特許文献１】特開２０００−２５４６７号公報
【特許文献２】実開昭６１−１８３２１９号公報
【発明の概要】
【発明が解決しようとする課題】
【０００８】
しかしながら、前述の如く、吸気ダクト４のダクトブラケット４ｂを、キャブ２の後面に固定されたベースブラケット７に対しラバーマウント８を介して締結部材９により組み付けるのでは、該ラバーマウント８は弾性部材であることから、締結部材９の締め付け力によって変形量が異なり、組み付け精度が低下するという問題を有していた。
【０００９】
又、前記ラバーマウント８が必要になるため、部品点数が増え、組み付け工数も増加してしまい、全体のコストアップにつながるという問題をも有していた。
【００１０】
本発明は、斯かる実情に鑑み、ラバーマウントのような弾性部材を介在させることなく、吸気振動がキャブに伝達されることを防止して、こもり音を低減し得、且つ組み付け精度を向上し得、更に、部品点数並びに組み付け工数を減少させ、全体のコスト削減を図り得る吸気ダクトを提供しようとするものである。
【課題を解決するための手段】
【００１１】
本発明は、車両のエンジンに空気を供給するエアクリーナに接続されるよう上方へ延びるダクト本体からダクトブラケットを突設し、該ダクトブラケットをキャブの後面に固定されたベースブラケットに対し締結部材により組み付けるようにした吸気ダクトにおいて、
前記ダクトブラケットのダクト本体から突設される基端部分に、板厚を薄くしてバネ定数を下げるためのくびれ部を形成したことを特徴とする吸気ダクトにかかるものである。
【００１２】
上記手段によれば、以下のような作用が得られる。
【００１３】
前述の如く構成すると、板厚を薄くしたくびれ部によりダクトブラケットのバネ定数が下げられるため、従来のように、吸気ダクトのダクトブラケットを、キャブの後面に固定されたベースブラケットに対しラバーマウントを介して締結部材により組み付けなくても、エンジンの吸入行程で生じる空気の脈動による吸気振動がキャブに伝達されずに、前記くびれ部で吸収される形となり、こもり音を低減することが可能となる。
【００１４】
この結果、弾性部材であるラバーマウントを介在させなくて済むことから、キャブの後面に対する吸気ダクトの組み付け時に、締結部材の締め付け力によってラバーマウントの変形量が異なってしまうことが避けられ、吸気ダクトの組み付け精度を向上させることが可能となる。
【００１５】
又、前記ラバーマウントが不要になるため、部品点数が減り、組み付け工数も減少し、全体のコストを削減することが可能となる。
【発明の効果】
【００１６】
本発明の吸気ダクトによれば、ラバーマウントのような弾性部材を介在させることなく、吸気振動がキャブに伝達されることを防止して、こもり音を低減し得、且つ組み付け精度を向上し得、更に、部品点数並びに組み付け工数を減少させ、全体のコスト削減を図り得るという優れた効果を奏し得る。
【図面の簡単な説明】
【００１７】
【図１】本発明の吸気ダクトの実施例を示す正面図である。
【図２】図１のＩＩ−ＩＩ断面図である。
【図３】従来の吸気ダクトの一例を示す概略斜視図である。
【図４】従来の吸気ダクトの一例を示す正面図である。
【図５】図４のＶ−Ｖ断面図である。
【発明を実施するための形態】
【００１８】
以下、本発明の実施の形態を添付図面を参照して説明する。
【００１９】
図１及び図２は本発明の吸気ダクトの実施例であって、図中、図３〜図５と同一の符号を付した部分は同一物を表わしており、基本的な構成は図３〜図５に示す従来のものと同様であるが、本実施例の特徴とするところは、図１及び図２に示す如く、ダクトブラケット４ｂのダクト本体４ａから突設される基端部分に、板厚を薄くしてバネ定数を下げるためのくびれ部４ｃを形成した点にある。
【００２０】
本実施例の場合、図２に示す如く、ベースブラケット７の高さは、図５のラバーマウント８の厚み分だけ高くなるようにしてある。
【００２１】
次に、上記実施例の作用を説明する。
【００２２】
前述の如く構成すると、板厚を薄くしたくびれ部４ｃによりダクトブラケット４ｂのバネ定数が下げられるため、従来のように、吸気ダクト４のダクトブラケット４ｂを、キャブ２の後面に固定されたベースブラケット７に対しラバーマウント８（図５参照）を介して締結部材９により組み付けなくても、エンジンの吸入行程で生じる空気の脈動による吸気振動がキャブ２に伝達されずに、前記くびれ部４ｃで吸収される形となり、こもり音を低減することが可能となる。
【００２３】
この結果、弾性部材であるラバーマウント８を介在させなくて済むことから、キャブ２の後面に対する吸気ダクト４の組み付け時に、締結部材９の締め付け力によってラバーマウント８の変形量が異なってしまうことが避けられ、吸気ダクト４の組み付け精度を向上させることが可能となる。
【００２４】
又、前記ラバーマウント８が不要になるため、部品点数が減り、組み付け工数も減少し、全体のコストを削減することが可能となる。
【００２５】
こうして、ラバーマウント８のような弾性部材を介在させることなく、吸気振動がキャブ２に伝達されることを防止して、こもり音を低減し得、且つ組み付け精度を向上し得、更に、部品点数並びに組み付け工数を減少させ、全体のコスト削減を図り得る。
【００２６】
因みに、前記エンジンの吸入行程で生じる空気の脈動による吸気振動が非常に大きく、仮に、前記くびれ部４ｃを形成するだけでは吸気振動を吸収することが困難となるような場合には、図１及び図２に示す例において、ダクトブラケット４ｂとベースブラケット７との間にラバーマウント８を介在させることも可能であり、この場合、部品点数を減らして組み付け工数を減少させることはできなくなるが、前記くびれ部４ｃを形成した分、ラバーマウント８のバネ定数を従来のものより上げて変形しにくい弾性部材を用いることができるため、吸気ダクト４の組み付け精度を向上させる上では有効になると言える。
【００２７】
尚、本発明の吸気ダクトは、上述の実施例にのみ限定されるものではなく、本発明の要旨を逸脱しない範囲内において種々変更を加え得ることは勿論である。
【符号の説明】
【００２８】
１    車両
２    キャブ
３    エアクリーナ
４    吸気ダクト
４ａ  ダクト本体
４ｂ  ダクトブラケット
４ｃ  くびれ部
６    空気取入口
７    ベースブラケット
９    締結部材 
【図１】
2012180800.tif 000003
【図２】
2012180800.tif 000004
【図３】
2012180800.tif 000005
【図４】
2012180800.tif 000006
【図５】
2012180800.tif 000007